(57)【特許請求の範囲】
【請求項１】
室内のほぼ全域または一部において、天井面の下側に、一方側方向に配置される実質的に長手通しの断面Ｕ字状の親フレームと、前記親フレーム間に横架される断面Ｕ字状の子フレームとから構成されるとともに、前記親フレームの子フレーム連結箇所に、子フレーム端部が嵌合する切欠き部を設けておき、子フレームの両端部にそれぞれ少なくとも底板、両側壁から一体的に略直交方向に延在された係合フランジを備え、前記親フレームに形成された切欠き部に前記係合フランジを嵌合係合させることにより格子状に組まれた樋兼用骨組部材を水平若しくは若干傾斜させて設け、この樋兼用骨組部材の任意の格子枠に対し、周縁部に板本体より一体的に連設された垂下片を備えるとともに、透光性を有する樹脂板またはガラス板からなる防水板を、前記垂下片を格子枠の全周に亘り前記断面Ｕ字状部材の格子枠がわ側壁に被せるように載置したことを特徴とする天井漏水からの防護設備。
【発明の詳細な説明】
【０００１】
【発明の属する技術分野】
本発明は、天井面から滴下する漏水から特に水を嫌う電子計算機、電子顕微鏡等の電子機器類や材料を保護するために、天井下に設けられる漏水防護設備に関する。
【０００２】
【従来の技術】
従来より、コンクリート建築物等では施工不良または老朽化等に伴い、躯体のクラックを通って下層階へ雨水等が漏水することがある。特に下層階が電子計算機や精密機械等の設備が設置される電算機室等である場合には、漏水によってこれらの機械設備が侵され甚大な被害を被ることがあった。
【０００３】
近年、このような問題に対処するために、天井から防水板を吊り下げ漏水を電子機器類等に滴下させないようにする設備が提案されている。たとえば、特公平６−９６８８０号公報（第１公知例）では、天井の下側に端縁を梁に近接した状態で防水板を配置し、前記梁の下端縁に沿って梁用樋を設けるとともに、この梁用樋の端縁位置より下方に巻装配置される回り樋を設け、前記防水板から流下する漏水を前記梁用樋を介して回り樋に集水する漏水回収装置が開示されている。
【０００４】
また、特開昭５３−４１０１７号および実開昭５２−２８９１４号公報（第２公知例）では、天井面にアンカーボルトを介して取り付けられた下地部材に対して防水板を固定配置する二重天井構造が開示されている。
【０００５】
さらに、特開昭５３−４１０１７号公報（第３公知例）では、天井側にアーチ状の天井部材を配置するとともに、隣接するアーチ状天井部材の側縁同士に跨って収集溝部材を配設した設備が開示されている。
【０００６】
【発明が解決しようとする課題】
しかしながら、前記第１〜第３公知例に係る防水設備では、施工上並びに構造上、種々の問題の発生が予想される。
【０００７】
先ず第１公知例の場合は、梁を除く天井面のほぼ全面に防水板を配設しなければならないと同時に、これらの防水板全体を完全に水漏れしない構造としなければならない。実際には梁間の天井面全体を一枚の防水板で覆うことは困難であるから、要所に防水板の接続部が設けられることになるが、この接続部位での水密構造が複雑になる、施工性が悪化するなどの問題が発生する。また、保守管理用に防水板の一部を開閉蓋としたい場合にも全く同様の問題が発生するとともに、接続部位に漏水が発生した場合に室内側からでは補修が困難であるなどの問題もある。さらに、通常のオフィスビル等では天井面に管理用開閉蓋、火災報知器、空調用吹出し口などの設備が設けられていることが多いが、第１公知例の構造ではこれらの設備に対して柔軟に対処し得ないなどの問題もある。
【０００８】
次いで、第２公知例は、換言すれば接続部位からの漏水を完全に遮断した防水板支持構造を開示するものであるが、構造が複雑で施工性が悪いとともに、火災報知器、空調用吹出し口などの設備が設けられている既存天井に対する対処が困難である、さらに漏水した水の処理については何ら開示がなく、場合によっては漏水した水が防水板の裏側に滞留したままとなることも予想される。
【０００９】
第３公知例は、湿気を発する調理場、洗い場などの極めて狭い部屋に対して適用されるものであり、広い空間を有するオフィスビルなどに対する適用は不向きである。具体的には、第１公知例と同様の問題が発生することになる。
【００１０】
そこで本発明の主たる課題は、第１に構造が簡易でかつ隣接する防水板間からの水漏れの心配のない構造にするとともに、防水板の設置が迅速に行え施工性に優れたものとすること、第２に水処理の手法が明確でしかも確実に排水処理し得るものとすること、さらに第３にメンテナンスが容易に行えるとともに、空調用吹出し、火災報知器、照明などの天井設備に対しても容易に対処し得るようにすること、将来の機器の配置変更に対しても柔軟に対応し得るようにすること等にある。
【００１１】
【課題を解決するための手段】
前記課題を解決するために請求項１に係る本発明として、室内のほぼ全域または一部において、天井面の下側に、一方側方向に配置される実質的に長手通しの断面Ｕ字状の親フレームと、前記親フレーム間に横架される断面Ｕ字状の子フレームとから構成されるとともに、前記親フレームの子フレーム連結箇所に、子フレーム端部が嵌合する切欠き部を設けておき、子フレームの両端部にそれぞれ少なくとも底板、両側壁から一体的に略直交方向に延在された係合フランジを備え、前記親フレームに形成された切欠き部に前記係合フランジを嵌合係合させることにより格子状に組まれた樋兼用骨組部材を水平若しくは若干傾斜させて設け、この樋兼用骨組部材の任意の格子枠に対し、周縁部に板本体より一体的に連設された垂下片を備えるとともに、透光性を有する樹脂板またはガラス板からなる防水板を、前記垂下片を格子枠の全周に亘り前記断面Ｕ字状部材の格子枠がわ側壁に被せるように載置したことを特徴とする天井漏水からの防護設備が提供される。
【００１２】
【発明の実施の形態】
以下、本発明の実施の形態について図面に基づいて詳述する。
【００１３】
図１は本発明が適用された室内の平面図、図２は構造概略斜視図、図３は図１のIII−III線矢視図、図４は図１のIV−IV線矢視図である。
【００１４】
本漏水防護設備は、天井下の空間部、具体的には天井面と電子機器等との間の空間部分に、所定の離間をおいて一定方向に配置される樋兼用親フレーム２、２…（以下、単に親フレームという。）と、これら親フレーム２、２…の間に横架される樋兼用子フレーム３、３…（以下、単に子フレームという。）とによって構成された格子状の骨組部材１Ａ，１Ｂを設置し、この骨組み部材１Ａ，１Ｂの任意の格子枠に対して着脱自在に防水板４、４…を設置した構造である。天井面との間に所定の離間を空けることにより、空気循環を妨げることがなく、火災時の煙感知や空調効率の低下などを防止できるようになる。
【００１５】
前記骨組部材１Ａ，１Ｂは、室内のほぼ全域に配置することも可能であるし、或いは電子機器の設置対象エリア等の特定エリアのみを対象として部分的に配置することも可能である。そして、防水板４、４…についても、骨組部材１Ａ，１Ｂの全部或いは一部に対して設置することも可能である。図示の例では、室内Ｌ側においては、入口部近傍を除く室内のほぼ全域に骨組部材１Ａを配置し、相対的に左側のエリアＡのみに防水板４、４…を設置し、他方、室内Ｒ側においては、室内の一部に骨組部材１Ｂを設置し、相対的に下側エリアＣのみに防水板４、４…を設置してある。将来の機器配置の変更を見越して計画するならば、ある程度広いエリアに亘って骨組部材１Ａ，１Ｂを配置しておき、防水板４、４…の移設によって容易に対処し得るようにするのがより好適な態様となる。
【００１６】
以下、詳細にその構造について施工手順を交えながら詳述すると、
ビル建築等の天井構造は、図２に示されるように、躯体スラブ（図示せず）から吊下された吊りボルト１４に対して先ず野縁受け１２、１２…が支持され、これら野縁受け１２、１２に適所が固定された野縁１０、１０、１１…に対して天井板１３が支持される構造が一般的であり、このような天井構造の場合には、前記野縁１０、１０を支持体として、先ず前記親フレーム２が吊設される。
【００１７】
詳細には、図５に示されるように、天井板１３に前記野縁１０位置の墨出しを行い、野縁１０の天井面直下に断面コ字状のピース部材９を固定ビス８によって固定する。一方、前記親フレーム２の長手方向適所に対して、図２にも示されるように、中央部にネジカプラー７ａを固設した断面コ字状の吊り金具７を予め溶接等により固定しておき、この吊り金具７のネジカプラー７ａに吊りボルト５の下端を螺入するとともに、この吊りボルト５の上端側をピース部材９の下側フランジ９ａに形成された通孔に通し、前記下側フランジ９ａを跨ぐ両側に夫々ナット６、６を配設して吊りボルト５の上部を固定し吊持する。本例では、前記吊りボルト５による支持の他、図３および図４に示されるように、天井の強度が不足した場合の補強および親フレーム２の撓み防止並びに落下防止のために、親フレーム２の下面側に水平方向にワイヤー３０、３０…を壁間に張設している。
【００１８】
前記親フレーム２の通り芯の調整並びに高さおよび勾配調整は、前記吊りボルト５のネジカプラー７ａに対する螺入量およびナット６、６の調整によって行うことができる。前記親フレーム２、２…は、水平配置でもよいが、好ましくは１／５０〜１／２００程度の排水勾配を持つように設置するとともに、すべての親フレーム２、２…が同一面内に位置するように調整される。
【００１９】
なお、前記親フレーム２としては、好ましくは連結部を有しない１本の部材が使用されるが、輸送等の制限から途中に連結部を設ける場合もある。もちろん、この場合には連結部の目地にシールを施し止水を完全なものとする。いずれにしても、前記親フレーム２は、設置状態において実質的に長手通しとして設置される。また、親フレーム２の支持構造は、前記吊りボルト５による支持の他、たとえば吊りワイヤー等によって吊り下げ支持することでもよい。
【００２０】
前述要領によって各親フレーム２、２…を天井下に設置したならば、次いで、直交方向に配置される子フレーム３、３…を取り付ける。
【００２１】
前記子フレーム３としては、図７に示されるように、その壁高ｈが親フレーム３の壁高Ｈよりもの低いものを使用することとし、各親フレーム２、２…の子フレーム３連結位置には予め、子フレーム３の寸法に合った矩形状の切欠き２ａ，２ａを形成し、一方前記子フレーム３の端部には底板、両側壁から一体的に略直交方向に延在される係合フランジ３ａ〜３ｃを形成しておき、この子フレーム３の係合フランジ３ａ〜３ｃを前記親フレーム２の切欠き２ａに落とし込むことにより両者が連結される。その後、各係合フランジ３ａ〜３ｃの隅部ｋ，ｋからの水漏れ防止およびガタ付き防止のために連結部位の外面周囲にシールを施し１本当たりの連結作業を完了する。なお、前記子フレーム３の端部のフランジ形状を、図８に示されるように、底面および両側面の３辺を連続的に囲む係合フランジ３ｄとすれば、単に子フレーム３を落とし込むだけで前記隅部Ｋからの水漏れは完全に防止し得るためシールを不要とすることができ施工の簡略化が図れるようになる。
【００２２】
かかる要領によって各子フレーム３、３…を取付け、図１に示されるように、格子状の骨組部材１Ａ，１Ｂを天井下に構築する。なお、前記子フレーム３を親フレーム２に連結した状態では、後述の防水板４がガタ付かないように、子フレーム３の側壁天端レベルと親フレーム２の側壁天端レベルとが同一になるように、換言すれば前記格子状の骨組連結１Ａ，１Ｂの完成状態において、その上面レベルが略同一面となるようにする。
【００２３】
他方、前記親フレーム２、２…の水下側に配置される端部フレーム材１６（以下、集水樋フレームという。）については、親フレーム２から流下してくる水を集水し、さらにこれを水下側に流下させるものでなければならないため、図１０に示されるように、前記親フレーム２よりも壁高の高い長手通しのものを使用し、かつ集水樋フレーム１６の水下側端部に縦樋１７を設け、漏水を外部に確実に排出するようになっている。
【００２４】
骨組部材１Ａ，１Ｂの設置が完了したならば、次に任意の格子枠、本例では骨組部材１Ａ側ではエリアＡ、骨組部材１Ｂ側ではエリアＣに対して防水板４、４…を設置する。防水板４は、天井面に設置された照明を遮らないように、好ましくは透明樹脂またはガラス等の素材が用いられ、その周縁（四辺）には一体的に延在する垂下片４ａ，４ａ…が形成されている。格子枠の対角線部を利用して骨組部材１Ａ，１Ｂの上側に通し、図９に示されるように、前記垂下片４ａ，４ａ…を格子枠の全周に亘り前記親フレーム２、２および子フレーム材３、３の格子枠がわ側壁に被せるように載置する。なお、防水板４、４…を設置した漏水防護設備の完成状態を図６に示す。この場合、各格子枠の寸法は、なるべく同じとしておき、防水板４、４…の寸法種類を極力少なくするのがよい。本例では、図１に示されるように、長さ調整のため、中央部分は正方形状にすべて同一寸法とし、両端または片側端部に寸法の異なる長方形状の防水板４’を設置するようにしている。また、前記防水板４として、透光性を有する素材を用いることにより、防水板を取り外さなくても天井面の漏水個所を下から容易に確認できるようになる。
【００２５】
なお、既存天井は重量物を吊持し得るように本来設計されていないため、前記骨組部材１Ａ．１Ｂとしては、できるだけ軽量の部材を用いるようにするのがよい。具体的には、ステンレスよりなる薄肉のＣ型鋼などの他、塩化ビニル樹脂などの樹脂材も好適に使用することができる。また、防水板４についても、撓みが生じない範囲で極力薄肉のものを使用するのがよい。
【００２６】
本例のような漏水防護設備であれば、構造が非常に簡易で低コストで済む。また、各防水板４、４…も小さな寸法で済み取り扱い性に優れるとともに、しかも置くだけで設置ができるため施工性の点でも非常に優れたものとなる。さらに、各防水板４、４…は接続部を持たない構造であるため将来的にも水漏れの虞が一切ない。加えて、仮に天井面に火災報知器や空調用吹出し口が存在する場合には、これら機器の設置箇所に相当する格子枠部分に防水板４を取付けないで開口のままとしておけば、これらの機器の障害となることもない。メンテナンスに際しても、任意の箇所から防水板４を上方に持ち上げるだけで骨組部材１Ａ，１Ｂの裏側に入れるため非常に容易に行うことができるなど、従来のものにはない種々の利点を備えたものとなる。
【００２７】
かかる漏水防護設備において漏水が発生した場合には、防水板４、４…に滴下した漏水が子フレーム３、３…に流れ落ち、この子フレーム３を伝わって親フレーム２、２…に流下する。そして、親フレーム２、２…に流れた漏水は排水勾配に従って水下側に流れ、水下側最端部の集水樋フレーム１６に集水され、最後に縦樋１７から外部に排出される。
【００２８】
以上、本発明の一形態例として、親フレーム２、２…、子フレーム３、３…および防水板４、４…から構成される漏水防護設備であって、親フレーム２、２…、次いで子フレーム３、３…、最後に防水板４、４…の手順で施工を行う方法について詳述した。本形態例は、特には既に室内に電子機器類が配置されている場合などに好適に採用されるが、他にたとえば、予め工場にて所定の寸法の格子状骨組ユニットを製作し、これを現場に持ち込んで据え付けるようにしてもよい。各格子状骨組ユニット相互間を簡単に接続できるようにしておけば、大寸法の格子状骨組であっても現場で容易に構築することができる。工場製作される骨組部材の場合には、格子骨組のＸ方向とＹ方向の部材を全く同じものとし、すなわち本例のようなそれぞれの方向の部材間で親子の関係を無くし、これらを交点部において溶接により接合するものであってもよい。
【００２９】
また、電子機機器類が設置されておらず空室の場合には、床面で地組した後、ワイヤー等で天井側に引き上げそのまま固定するようにしてもよい。
【００３０】
【発明の効果】
以上詳説のとおり本発明によれば、基本的に骨組部材と防水板から構成されるものであるため構造が非常に簡易となる。また、各防水板同士は接続部を有しないため従来のような防水板接続部からの水漏れという問題が一切生じない。水板は１枚当たりの重量も軽く取り扱い性に優れ、しかも開口枠部に置くだけでよいため、施工性に優れ短期間で工事を完了し得るようになる。
【００３１】
さらに、水処理の手法が明確でしかも確実に排水処理し得るようになるとともに、同時にメンテナンスも容易に行えるようになる。また、空調用吹出し、火災報知器、照明などの天井設備に対しても容易に対処し得るようになり、将来の機器の配置変更に対しても柔軟に対応し得るようになる。
【図面の簡単な説明】
【図１】  本発明が適用された室内の平面図である。
【図２】  構造概略斜視図である。
【図３】  図１のIII−III線矢視図である
【図４】  図１のIV−IV線矢視図である。
【図５】  親フレーム２の吊り構造図である。
【図６】  漏水防護設備の破断斜視図である。
【図７】  子フレーム３の連結要領図である。
【図８】  他の子フレーム３の端部構造例を示す要部斜視図である。
【図９】  防水板４の設置要領図である。
【図１０】  図１のＸーＸ線矢視図である。
【符号の説明】
１Ａ・１Ｂ…骨組部材、２…親フレーム、２ａ…切欠き部、３…子フレーム、３ａ〜３ｄ…係合フランジ、４…防水板、４ａ…垂下片、５…吊りボルト、１３…天井
【図１】
0003653167.tif 000002
【図２】
0003653167.tif 000003
【図３】
0003653167.tif 000004
【図４】
0003653167.tif 000005
【図５】
0003653167.tif 000006
【図６】
0003653167.tif 000007
【図７】
0003653167.tif 000008
【図８】
0003653167.tif 000009
【図９】
0003653167.tif 000010
【図１０】
0003653167.tif 000011